(57)【要約】【課題】リセプタクルコネクタとプラグコネクタとの嵌合を、容易かつ確実に行うことのできる電気コネクタ組立体を提供することを目的とする。【解決手段】リセプタクルコネクタ２０に、３つのプラグコネクタ３０Ａ、３０Ｂ、３０Ｃを一方向に並べて嵌合することで、プラグコネクタ３０Ａ、３０Ｂ、３０Ｃのそれぞれを小型化する。このような構成において、両端側のフード２６Ａ、２６Ｃに接続されるプラグコネクタ３０Ａ、３０Ｃのレバー４０Ａ、４０Ｃが、フード２６Ａ、２６Ｃの外側に突出する長さを有し、フード２６Ａ、２６Ｃの外側においてリセプタクルハウジング２１に係合される構成とした。【選択図】図３
2010108790.tif 000002
【特許請求の範囲】
【請求項１】
電気コネクタ組立体であって、
第一のハウジングと、
前記第一のハウジングに嵌合する第二のハウジングと、
前記第一のハウジングに保持される第一のコンタクトと、
前記第二のハウジングに保持され、前記第一のコンタクトに接続される第二のコンタクトと、を備え、
前記第一のハウジングは、前記第二のハウジングを受容する空間を形成するフードを備え、
前記第二のハウジングは、前記フード内への前記第二のハウジングの挿入力を軽減するレバーを備え、
前記レバーは、前記第二のハウジングに支軸を介して回動自在に設けられ、前記支軸に対して一方の側に、前記レバーを回動操作するための力点部が形成され、前記支軸に対して他方の側に、前記レバーを前記支軸回りに回動させたときに前記フードの一部に押し付けられる作用点部が形成され、
前記レバーの前記力点部は、前記第二のハウジングを前記第一のハウジングの前記フード内に挿入した状態で前記フード内に位置する前記支軸から、前記フードの外部にまで延びて形成されていることを特徴とする電気コネクタ組立体。
【請求項２】
前記支軸は、前記第二のハウジングの中心に対し、前記作用点部が設けられている側にオフセットしていることを特徴とする請求項１に記載の電気コネクタ組立体。
【請求項３】
前記第二のハウジングを前記第一のハウジングの前記フード内に挿入した状態で前記力点部と前記作用点部との間に位置する前記フードの上端部に、前記フードの底部に向けて延びるスリットが形成され、
前記レバーの一部が前記スリット内に収容可能とされていることを特徴とする請求項１に記載の電気コネクタ組立体。
【請求項４】
前記レバーは、前記フードの外部において前記第一のハウジングと係合する係合部をさらに備えることを特徴とする請求項１に記載の電気コネクタ組立体。
【請求項５】
前記第一のハウジングには、複数の前記フードが一方向に連なって形成され、
前記第二のハウジングは、複数の前記フードに対応した複数を備えることを特徴とする請求項１に記載の電気コネクタ組立体。
【請求項６】
前記フードおよび前記第二のハウジングを３以上備える場合、
複数連なった前記フードのうち、両端に位置する前記フードに嵌合される前記第二のハウジングのみにおいて、前記レバーの前記力点部が前記フードの外部にまで延びて形成されていることを特徴とする請求項５に記載の電気コネクタ組立体。
【発明の詳細な説明】
【技術分野】
【０００１】
本発明は、一方のコネクタを保持したプラグハウジングを有するプラグコネクタと、他方のコネクタを保持し、プラグハウジングを受容するリセプタクルコネクタとからなる電気コネクタ組立体に関する。
【背景技術】
【０００２】
従来から、プリント配線基板等の回路基板（以下、単に基板という）に実装され、基板と他の電気回路とを接続する電気コネクタ（以下、単にコネクタという）が広く使われている。このコネクタは、コンタクトと、このコンタクトを保持するハウジングとを主たる構成要素としている。コネクタには、雌型のリセプタクルコネクタと雄型のプラグコネクタとが存在する。リセプタクルコネクタは、筒状のフードを有しており、このフード内に複数のコンタクトが配置されている。プラグコネクタは、フード内に挿入されるハウジングを有しており、このハウジングに、リセプタクルコネクタのコンタクトに嵌合するコンタクトが設けられている。
【０００３】
リセプタクルコネクタにプラグコネクタを嵌合する際のリセプタクルコネクタへのプラグコネクタの挿入力を低減するために、レバー付きのコネクタが従来より提供されている（例えば、特許文献１参照。）。
レバー付きのコネクタは、プラグコネクタに対し、レバーが回動自在に設けられている。レバーの先端側（支点から離れた側）の力点部を作業者が手で回動操作することで、レバーの支点近傍に設けられた作用点部から、リセプタクルコネクタとプラグコネクタとの間に、双方を互いに接近または離間させる方向の力（この力を倍力と称する。）を作用させる。このレバーの発する倍力により、リセプタクルコネクタとプラグコネクタとをより軽い力で挿抜できる。
【０００４】
【特許文献１】特開２００７−１８８６６３号公報
【発明の開示】
【発明が解決しようとする課題】
【０００５】
しかしながら、従来のようなコネクタ組立体には、以下に示すような課題が存在する。
コネクタ組立体を、例えば自動車用電装品に用いる場合、常に小型化が要求される自動車用電装品と同様、コネクタ組立体についても小型化が要求されている。また、自動車の製造工程においては、自動車用電装品側に設けられたリセプタクルコネクタに、ワイヤーハーネスの先端部に設けられたプラグコネクタを接続する作業が行われる。この際、ワイヤーハーネスを、例えば自動車のエンジンルームと車室とを隔てる隔壁に形成された孔に挿通させるため、特にプラグコネクタは小型化が要求される。
これらの要求に応じ、プラグコネクタを小型化しようとすると、これに伴ってレバーも短くせざるを得ない。しかし、レバーを短くすると、レバーにより発生する倍力が小さくなり、リセプタクルコネクタへのプラグコネクタの挿抜力の低減効果が減じてしまう。近年、自動車用電装品は端子数の多極化が進んでおり、リセプタクルコネクタへのプラグコネクタの挿抜に必要な力は増大する傾向にある。したがって、リセプタクルコネクタへのプラグコネクタの挿抜力の低減効果の減少は、作業性の低下に繋がってしまう場合がある。
【０００６】
また、従来のコネクタ組立体においては、リセプタクルコネクタに形成された筒状のフード内に、プラグコネクタのハウジングと、倍力を発生するためのレバーとを収容している。リセプタクルコネクタにプラグコネクタを挿入するときには、プラグコネクタにおいては、レバーを起こした状態とする。この状態では、フード内において、リセプタクルコネクタのフードとプラグコネクタのハウジングとの間に、レバーを寝かせた状態としたときにレバーの先端部を収容するスペース（空隙）が形成される。したがって、リセプタクルコネクタにプラグコネクタを挿入するときには、プラグコネクタのハウジングとリセプタクルコネクタのフードとの間にガタつきが生じ得る。自動車の製造工程においては、リセプタクルコネクタへのプラグコネクタの挿入作業は、必ずしも双方の接続部分を作業者が目視しながら行えるとは限らず、手探りで作業せざるを得ないこともある。特に手探りでの作業の場合、プラグコネクタのハウジングとリセプタクルコネクタのフードとの間にガタ（クリアランス）が存在すると、作業者は、リセプタクルコネクタのフードに対し、プラグコネクタのハウジングを正しい位置に挿入・嵌合しづらい。その結果、フード内で正しい位置からズレた位置に、誤ってプラグコネクタのハウジングを挿入しようとしてしまう可能性もある。すると、リセプタクルコネクタのフード内の端子が折れ曲がる可能性もある。
【０００７】
本発明は、このような技術的課題に基づいてなされたもので、リセプタクルコネクタとプラグコネクタとの嵌合を、容易かつ確実に行うことのできる電気コネクタ組立体を提供することを目的とする。
【課題を解決するための手段】
【０００８】
かかる目的のもとになされた本発明は、電気コネクタ組立体であって、第一のハウジングと、第一のハウジングに嵌合する第二のハウジングと、第一のハウジングに保持される第一のコンタクトと、第二のハウジングに保持され、第一のコンタクトに接続される第二のコンタクトと、を備える。そして、第一のハウジングは、第二のハウジングを受容する空間を形成するフードを備え、第二のハウジングは、フード内への第二のハウジングの挿入力を軽減するレバーを備える。レバーは、第二のハウジングに支軸を介して回動自在に設けられ、支軸に対して一方の側に、レバーを回動操作するための力点部が形成され、支軸に対して他方の側に、レバーを支軸回りに回動させたときにフードの一部に押し付けられる作用点部が形成され、レバーの力点部は、第二のハウジングを第一のハウジングのフード内に挿入した状態でフード内に位置する支軸から、フードの外部にまで延びて形成されていることを特徴とする。
レバーが、フード内に位置する支軸からフードの外部にまで延びて形成されていることで、レバーの長さを稼ぐことができ、レバーを支軸まわりに回動させたときに作用点部とフードの一部との間で生じる力、すなわちレバーによる倍力を増大させることができる。したがって、第二のハウジングを小さくしつつも、レバーを操作するために必要な力を抑えることができる。
また、レバーは、フードの外側において第一のハウジングに係合される係合部を有しているため、フードには、第二のハウジングのみが挿入されることになる。したがって、フードに係合部を収容するためのスペースを形成する必要がない。そして、手探りで第二のハウジングをフードに挿入しようとした場合にも、フード内で第二のハウジングがズレることなく、挿入作業を容易かつ確実に行える。
【０００９】
さらに、支軸は、第二のハウジングの中心に対し、作用点部が設けられている側にオフセットしているのが好ましい。支軸をオフセットさせることで、レバーを支軸まわりに回動させたときに作用点部とフードの一部との間で生じる力をさらに増大させることができる。
【００１０】
第二のハウジングを第一のハウジングのフード内に挿入した状態で力点部と作用点部との間に位置するフードの上端部に、フードの底部に向けて延びるスリットが形成され、レバーの一部がスリット内に収容可能とされていることを特徴とすることができる。
レバーの一部がスリット内に収容可能とすることで、スリットの方向に沿ったレバーの高さを大きくすることができ、レバーの剛性を増大させることができる。
【００１１】
第一のハウジングには、複数のフードを一方向に連ねて形成することもできる。この場合、第二のハウジングは、複数のフードに対応した複数を備える。これにより、第二のハウジングのそれぞれを小型化できる。
【００１２】
さらに、フードおよび第二のハウジングを３以上備える場合、複数連なったフードのうち、両端に位置するフードに嵌合される第二のハウジングのみにおいて、レバーの力点部がフードの外部にまで延びて形成されていることを特徴とするのが好ましい。すなわち、複数連なったフードのうち、両端以外の中間部に位置するフードに嵌合される第二のハウジングにおいては、レバーをフードの外部にまで延ばすことなく、レバーと、第一のハウジングに係合する係合部と、をフード内に収める。
このような構成によれば、第二のハウジングのそれぞれを小型化しつつ、両端に位置するフードに嵌合する第二のハウジングにおいては、レバーによる倍力を増大させることができる。
【発明の効果】
【００１３】
本発明によれば、レバーを、支軸からフードの外側にまで延びて形成することで、第二のハウジングを小型化しつつも、レバーの長さを稼ぐことができる。これにより、レバーを回動させたときに発する倍力を増大させることができる。その結果、第二のハウジングを小型化しつつも、より軽い操作力でレバーを回動操作して、その挿抜を容易かつ確実に行うことができる。
また、レバーの支軸を、作用点部が設けられている側にオフセットすることで、レバーによる倍力をより増大させ、前記の効果をより顕著なものとすることができる。
【００１４】
レバーの一部をスリット内に収容可能とすることで、スリットの方向に沿ったレバーの高さを大きくすることができ、レバーの剛性を増大させることができる。
【００１５】
レバーに、フードの外側において第一のハウジングに係合される係合部を設けることで、フードには、第二のハウジングのみが挿入されることになる。したがって、手探りで第二のハウジングをフードに挿入しようとした場合に、フード内で第二のハウジングがズレることもなく、挿入作業を容易かつ確実に行える。
【００１６】
第一のハウジングには、複数のフードを、プリント配線板の表面に沿った方向に連ねて形成し、第一のハウジングに、複数の第二のハウジングを一方向に並べて嵌合させる構成とすることで、第二のハウジングのそれぞれを小型化することができる。
【００１７】
さらに、フードおよび第二のハウジングを３以上備える場合、複数連なったフードのうち、両端に位置するフードに嵌合される第二のハウジングにおいて、レバーをフードの外部にまで延ばして形成することで、第二のハウジングのそれぞれを小型化しつつ、両端に位置するフードに嵌合する第二のハウジングにおいては、レバーによる倍力を増大させることができる。
【発明を実施するための最良の形態】
【００１８】
以下、添付図面に示す実施の形態に基づいてこの発明を詳細に説明する。
図１は、本実施の形態における電気コネクタ組立体を、プラグコネクタ側から見た斜視図である。図２は、本実施の形態における電気コネクタ組立体を、リセプタクルコネクタ側から見た斜視図である。図３は、本実施の形態における電気コネクタ組立体の正面図である。図４は、リセプタクルコネクタの斜視図である。図５は、プラグコネクタの四面図であり、（ａ）はプラグコネクタの左側面図、（ｂ）はプラグコネクタの正面図、（ｃ）はプラグコネクタの右側面図、（ｄ）はプラグコネクタの底面図である。図６は、プラグコネクタをリセプタクルコネクタに嵌合させる状態を示す図である。図７は、プラグコネクタの斜視図であり、（ａ）はレバーを倒した状態を示す図、（ｂ）はレバーを起こした状態を示す図である。図８は、プラグコネクタをリセプタクルコネクタに嵌合させた状態の断面図である。図９は、（ａ）はレバーの正面図、（ｂ）はレバーの右側面図である。
【００１９】
図１から図３に示すように、コネクタ（電気コネクタ組立体）１０は、プリント配線板側に固定されるリセプタクルコネクタ２０と、このリセプタクルコネクタ２０に嵌合可能なプラグコネクタ３０とから構成される。
本実施の形態において、リセプタクルコネクタ２０には、例えば３つのプラグコネクタ３０Ａ、３０Ｂ、３０Ｃが一方向に並べて嵌合される。なお、リセプタクルコネクタ２０に対して嵌合するプラグコネクタ３０の数は、本発明においては何ら限定する意図はなく、一つのみ、あるいは二つ、四つ以上等とすることもできる。
【００２０】
図４に示すように、リセプタクルコネクタ２０は、樹脂製のリセプタクルハウジング（第一のハウジング）２１と、銅系材料等の導電性材料から形成されたコンタクト（第一のコンタクト）２２とから構成される。
【００２１】
リセプタクルハウジング２１には、複数のコンタクト２２を、互いに間隔を隔てて配列した状態で保持するコンタクト保持壁２３が設けられている。
図３に示したように、リセプタクルハウジング２１は、コンタクト保持壁２３の一面側を電装ユニット等のユニットハウジング１００内に挿入し、コンタクト保持壁２３の他面側をユニットハウジング１００の外方に向けた状態でユニットハウジング１００に取り付けられる。コンタクト保持壁２３の一面側には、ユニットハウジング１００内に収められるプリント配線板（図示無し）に接続される複数のコンタクト２２を覆う、庇状のカバー部２４が形成されている。
【００２２】
コンタクト保持壁２３の他面側には、プラグコネクタ３０Ａ、３０Ｂ、３０Ｃが嵌合される嵌合部２５が設けられている。嵌合部２５は、コンタクト保持壁２３から他面側に立ち上がる矩形の外周壁部２５ａと、外周壁部２５ａ内を三つに区分する区分壁２５ｂ、２５ｃとから形成されている。そして、外周壁部２５ａ内が区分壁２５ｂ、２５ｃによって三つに区分されることで、三つの筒状のフード２６Ａ、２６Ｂ、２６Ｃが形成されている。フード２６Ａ、２６Ｂ、２６Ｃの内側は、プラグコネクタ３０Ａ、３０Ｂ、３０Ｃを挿入するための受容空間２７Ａ、２７Ｂ、２７Ｃとされている。
【００２３】
コンタクト保持壁２３には、フード２６Ａ、２６Ｂ、２６Ｃ内において、複数のコンタクト２２を互いに間隔を隔てて配列された状態で保持するための挿通孔（図示無し）が貫通して形成されている。
コンタクト保持壁２３には、両端部のフード２６Ａ、２６Ｃに隣接して、フード２６Ａ、２６Ｂ、２６Ｃの並ぶ方向の外側（フード２６Ｂに隣接する側とは反対側）に突出する突出部２９が形成されている。
【００２４】
図１に示したように、プラグコネクタ３０Ａ、３０Ｂ、３０Ｃは、それぞれ、リセプタクルハウジング２１のフード２６Ａ、２６Ｂ、２６Ｃに嵌合する樹脂製のプラグハウジング（第二のハウジング）３１と、銅合金等の導電性材料からなるコンタクト（第二のコンタクト：図示無し）とから構成されている。
【００２５】
図５に示すように、プラグハウジング３１は、リセプタクルハウジング２１のフード２６Ａ、２６Ｂ、２６Ｃに嵌め合う断面形状を有している（図５においては、プラグコネクタ３０Ａ、３０Ｃの例を示している。）。プラグハウジング３１には、リセプタクルコネクタ２０の複数のコンタクト２２に対応して、複数のコンタクト保持孔３２が互いに間隔を隔てて形成されている。これらコンタクト保持孔３２のそれぞれにコンタクト（図示無し）が保持されている。
【００２６】
プラグハウジング３１の上面側に開口したコンタクト保持孔３２には、電線（図示無し）が挿入されている。この電線（図示無し）は、コンタクト保持孔３２内のコンタクト（図示無し）に電気的に接続されている。
【００２７】
このようなプラグコネクタ３０Ａ、３０Ｂ、３０Ｃは、プラグハウジング３１をリセプタクルハウジング２１のフード２６Ａ、２６Ｂ、２６Ｃに挿入することでリセプタクルコネクタ２０に嵌合される。すると、プラグコネクタ３０Ａ、３０Ｂ、３０Ｃ側のコンタクト（図示無し）が、リセプタクルハウジング２１のフード２６Ａ、２６Ｂ、２６Ｃ内に位置するコンタクト２２に電気的に接続される。
【００２８】
図１に示したように、プラグハウジング３１をリセプタクルハウジング２１に対して挿抜する時に必要な力を軽減するため、プラグハウジング３１には、レバー４０がその一端部４０ａ側を回動自在に支持されて設けられている。プラグハウジング３１をリセプタクルハウジング２１に対して挿抜する時には、レバー４０を回動させる。
また、レバー４０は、プラグハウジング３１をリセプタクルハウジング２１に係合する機能をも有する。レバー４０で、プラグハウジング３１をリセプタクルハウジング２１に係合するには、他端部（力点部）４０ｂを押してレバー４０を倒し、他端部４０ｂをリセプタクルハウジング２１に係合させる。
以下、その構造について詳述する。ここで、説明の理解を容易にするため、プラグハウジング３１をリセプタクルハウジング２１に嵌合させたときに、コンタクト保持壁２３に対向する側を下方、その反対側を上方として説明を行う。
【００２９】
図３および図６に示すように、両端側のフード２６Ａ、２６Ｃに接続されるプラグコネクタ３０Ａ、３０Ｃにおいては、フード２６Ａ、２６Ｃにプラグハウジング３１が挿入された状態でレバー４０Ａ、４０Ｃを倒すと、レバー４０Ａ、４０Ｃはフード２６Ａ、２６Ｃの外側に突出する長さを有している。そして、レバー４０Ａ、４０Ｃは、フード２６Ａ、２６Ｃの外側においてリセプタクルハウジング２１に係合される。
一方、フード２６Ａ、２６Ｃの間に位置するフード２６Ｂに接続されるプラグコネクタ３０Ｂにおいては、フード２６Ｂにプラグハウジング３１が挿入された状態で、レバー４０Ｂはフード２６Ｂの内側においてリセプタクルハウジング２１に係合される。
【００３０】
図５に示すように、レバー４０Ａ、４０Ｃは、その一端部４０ａ側において、プラグハウジング３１の側面に設けられた支軸４１に回動自在に連結されている。図６に示すように、支軸４１は、プラグハウジング３１の中心に対し、プラグハウジング３１をフード２６Ａ、２６Ｃに嵌合させたときに中央のフード２６Ｂに近接する側にオフセットして設けられている。
【００３１】
図７、図８に示すように、レバー４０Ａ、４０Ｃの他端部４０ｂには、フード２６Ａ、２６Ｃの外側において下方に延びる係合部４２が設けられている。係合部４２には、リセプタクルハウジング２１に係合する係合爪４３を有した弾性片４４が設けられている。弾性片４４は、その上端部４４ａがレバー４０Ａ、４０Ｃの側面に露出しており、上端部４４ａを、レバー４０Ａ、４０Ｃの一端部４０ａ側に向けて押圧すると、係合爪４３をレバー４０Ａ、４０Ｃの他端部４０ｂ側に変位させる。
図４、図８に示すように、リセプタクルハウジング２１の突出部２９には、係合爪４３と係合する係合突起４５が設けられている。この係合突起４５に係合爪４３が係合することにより、レバー４０Ａ、４０Ｃがリセプタクルハウジング２１に係合される。
このようにして係合部４２によりリセプタクルハウジング２１に係合されるレバー４０Ａ、４０Ｃは、フード２６Ａ、２６Ｃを跨ぐような構成とされている。
【００３２】
図５、図７に示すように、レバー４０Ａ、４０Ｃは、レバー４０Ａ、４０Ｃを倒して係合状態としたときに、プラグハウジング３１の両側の側面に沿うよう形成されている。レバー４０Ａ、４０Ｃにおいて、プラグハウジング３１の両側の側面に沿う部分は薄板状のプレート部４６により形成されている。そして、プレート部４６を補強するために、プレート部４６の上端部に、トラス構造状の補強ビーム部４７が一体に形成されている。
また、プレート部４６には、補強ビーム部４７の下側にフード２６Ａ、２６Ｃとの干渉を避けるための凹部４８が形成されている。この凹部４８には、係合部４２の補強のため、補強ビーム部４７から下方に延びる補強リブ４９が形成されている。この補強リブ４９は、フード２６Ａ、２６Ｃと干渉する位置まで延出して形成されている。そこで、図７に示すように、フード２６Ａ、２６Ｃには、スリット５０が形成されており、このスリット５０に補強リブ４９が収容可能とされている。
【００３３】
図５に示したように、プレート部４６において、支軸４１よりもレバー４０Ａ、４０Ｃの一端部４０ａ側に突出した位置に、レバー４０Ａ、４０Ｃを回動させたときにその操作力をリセプタクルハウジング２１に伝達するためのカム突起（作用点部）５５が突出形成されている。
一方、図４に示したように、リセプタクルハウジング２１の嵌合部２５の外周壁部２５ａには、このカム突起５５をガイドするカム溝５６が形成されている。このカム溝５６は、外周壁部２５ａの上端部から下方に向かって形成され、レバー４０Ａ、４０Ｃを回動させてカム突起５５がカム溝５６に沿って移動する。このとき、図６に示したように、レバー４０Ａ、４０Ｃを起こした状態でプラグハウジング３１をリセプタクルハウジング２１のフード２６Ａ、２６Ｃに挿入すると、カム突起５５がカム溝５６に入り込む。そして、レバー４０Ａ、４０Ｃの他端部４０ｂを押してレバー４０Ａ、４０Ｃを倒していくと、カム突起５５がカム溝５６に沿って変位する。このときに、レバー４０Ａ、４０Ｃの他端部４０ｂに入力される操作力が、てこの原理により、カム突起５５とカム溝５６との間に作用し、これによってプラグハウジング３１がリセプタクルハウジング２１に挿抜される。したがって、カム溝５６は、プラグハウジング３１をリセプタクルハウジング２１に挿抜させるための倍力を発揮する適宜の形状に形成されている。
【００３４】
また、図９に示すように、プレート部４６の先端部には、支軸４１よりもレバー４０Ａ、４０Ｃの一端部４０ａ側に突出した位置に、ストッパ部５７が形成されている。
図５（ｃ）に示すように、プラグハウジング３１には、レバー４０Ａ、４０Ｃを回動させたときに上下方向に移動するストッパ部５７が入り込むスリット５８が形成されている。スリット５８には、レバー４０Ａ、４０Ｃを起こしていったときにストッパ部５７が当たってそれ以上の移動を規制するストッパ部５９が形成されている。また、スリット５８には、ストッパ部５７に形成された爪５７ａと係合するストッパ爪６０が形成されている。ストッパ爪６０が爪５７ａに係合することで、レバー４０Ａ、４０Ｃを、プラグハウジング３１から起き上がった状態に保持できる。レバー４０Ａ、４０Ｃを倒すときには、爪５７ａは、ストッパ爪６０を乗り越えていく。
【００３５】
上述したように、リセプタクルコネクタ２０に、３つのプラグコネクタ３０Ａ、３０Ｂ、３０Ｃを一方向に並べて嵌合することで、プラグコネクタ３０Ａ、３０Ｂ、３０Ｃのそれぞれを小型化することができる。
また、フード２６Ａ、２６Ｃの間に位置するフード２６Ｂに接続されるプラグコネクタ３０Ｂにおいては、レバー４０Ｂはフード２６Ｂの内側においてリセプタクルハウジング２１に係合されるのに対し、両端側のフード２６Ａ、２６Ｃに接続されるプラグコネクタ３０Ａ、３０Ｃにおいては、レバー４０Ａ、４０Ｃはフード２６Ａ、２６Ｃの外側に突出する長さを有し、フード２６Ａ、２６Ｃの外側においてリセプタクルハウジング２１に係合される。これにより、両端側のフード２６Ａ、２６Ｃに接続されるプラグコネクタ３０Ａ、３０Ｃにおいては、以下に示すような効果を奏することができる。
【００３６】
すなわち、レバー４０Ａ、４０Ｃの他端部４０ｂを、支軸４１からフード２６Ａ、２６Ｃの外側にまで延びて形成することで、プラグハウジング３１を小型化しつつも、レバー４０Ａ、４０Ｃの長さを稼ぐことができる。その結果、プラグハウジング３１を小型化しつつも、より軽い操作力でレバー４０Ａ、４０Ｃを回動操作して、その挿抜を容易かつ確実に行うことができる。
また、レバー４０Ａ、４０Ｃは、フード２６Ａ、２６Ｃの外側においてリセプタクルハウジング２１に係合される構造を有しているため、フード２６Ａ、２６Ｃには、プラグハウジング３１のみが挿入されることになる。したがって、手探りでプラグハウジング３１をフード２６Ａ、２６Ｃに挿入しようとした場合にも、フード２６Ａ、２６Ｃ内でプラグハウジング３１がズレることもなく、挿入作業を容易かつ確実に行える。
【００３７】
レバー４０Ａ、４０Ｃにおいて、プラグハウジング３１の両側の側面に沿う部分が薄板状のプレート部４６により形成されている。そして、プレート部４６には、補強ビーム部４７の下側にフード２６Ａ、２６Ｃとの干渉を避けるための凹部４８が形成され、凹部４８には、係合部４２の補強のため、補強ビーム部４７から下方に延びる補強リブ４９が形成されている。そして、フード２６Ａ、２６Ｃには、補強リブ４９との干渉を避けるためのスリット５０が形成されている。
これにより、レバー４０Ａ、４０Ｃを補強することが可能となり、レバー４０Ａ、４０Ｃを十分な剛性を有したものとすることができる。
【００３８】
なお、上記実施の形態で示した構成は一例に過ぎず、具体的な構造等は、上記実施の形態で示した以外に変更することが可能である。
これ以外にも、本発明の主旨を逸脱しない限り、上記実施の形態で挙げた構成を取捨選択したり、他の構成に適宜変更することが可能である。
【図面の簡単な説明】
【００３９】
【図１】本実施の形態における電気コネクタ組立体を、プラグコネクタ側から見た斜視図である。
【図２】本実施の形態における電気コネクタ組立体を、リセプタクルコネクタ側から見た斜視図である。
【図３】本実施の形態における電気コネクタ組立体の正面図である。
【図４】リセプタクルコネクタの斜視図である。
【図５】プラグコネクタの四面図であり、（ａ）はプラグコネクタの左側面図、（ｂ）はプラグコネクタの正面図、（ｃ）はプラグコネクタの右側面図、（ｄ）はプラグコネクタの底面図である。
【図６】プラグコネクタをリセプタクルコネクタに嵌合させる状態を示す図である。
【図７】プラグコネクタの斜視図であり、（ａ）はレバーを倒した状態を示す図、（ｂ）はレバーを起こした状態を示す図である。
【図８】プラグコネクタをリセプタクルコネクタに嵌合させた状態の断面図である。
【図９】（ａ）はレバーの正面図、（ｂ）はレバーの右側面図である。
【符号の説明】
【００４０】
１０…コネクタ（電気コネクタ組立体）、２０…リセプタクルコネクタ、２１…リセプタクルハウジング（第一のハウジング）、２２…コンタクト（第一のコンタクト）、２５…嵌合部、２６Ａ、２６Ｂ、２６Ｃ…フード、２７Ａ、２７Ｂ、２７Ｃ…受容空間、３０、３０Ａ、３０Ｂ、３０Ｃ…プラグコネクタ、３１…プラグハウジング（第二のハウジング）、４０、４０Ａ、４０Ｃ…レバー、４０ａ…一端部、４０ｂ…他端部（力点部）、４１…支軸、４６…プレート部、４７…補強ビーム部、４９…補強リブ、５０…スリット、５５…カム突起（作用点部）
【図１】
2010108790.tif 000003
【図２】
2010108790.tif 000004
【図３】
2010108790.tif 000005
【図４】
2010108790.tif 000006
【図５】
2010108790.tif 000007
【図６】
2010108790.tif 000008
【図７】
2010108790.tif 000009
【図８】
2010108790.tif 000010
【図９】
2010108790.tif 000011